(57)【要約】【課題】容器本体の口部へのキャップの装着時に、プレート嵌着部から装飾プレートが脱落し難い装飾プレート付き容器を提供すること。【解決手段】容器本体及びその口部が被嵌されるキャップ３を備え、該キャップ３の天面に設けられたプレート嵌着部４に円形の装飾プレート５が嵌着されてなる装飾プレート付き容器において、プレート嵌着部４は、装飾プレート５が配設されるプレート配設面４１を備え、プレート嵌着部４のプレート配設面４１は、該プレート嵌着部４に該装飾プレート５が嵌着された状態下において、該プレート配設面４１と該装飾プレート５の裏面５３との間隔がそれらの周縁部から中心部に向けて大きくなるように凹んでおり、プレート嵌着部４と装飾プレート５とは、硬化状態下において柔軟性を有する接着剤により接合されている。【選択図】図３
2006232313.tif 000002
【特許請求の範囲】
【請求項１】
容器本体及びその口部が被嵌されるキャップを備え、該キャップの天面に設けられたプレート嵌着部に装飾プレートが嵌着されてなる装飾プレート付き容器において、
前記プレート嵌着部は、前記装飾プレートが配設されるプレート配設面を備え、
前記プレート嵌着部の前記プレート配設面及び／又は前記装飾プレートの裏面は、該プレート嵌着部に該装飾プレートが嵌着された状態下において、該プレート配設面と該装飾プレートの裏面との間隔がそれらの周縁部から中心部に向けて大きくなるように凹んでおり、
前記プレート嵌着部と前記装飾プレートとは、硬化状態下において柔軟性を有する接着剤により接合されている装飾プレート付き容器。
【請求項２】
前記プレート配設面は湾曲形状に凹んでおり、前記装飾プレートの裏面は平面状である請求項１記載の装飾プレート付き容器。
【請求項３】
前記キャップはスクリューキャップである請求項１又は２に記載の装飾プレート付き容器。
【請求項４】
前記装飾プレートは、装飾用凸レンズである請求項１〜３の何れかに記載の装飾プレート付き容器。
【請求項５】
前記プレート嵌着部には、前記プレート配設面を形成する複数個の配設面形成リブが設けられている請求項１〜４の何れかに記載の装飾プレート付き容器。
【請求項６】
前記プレート配設面は、前記容器本体の前記口部が前記キャップにより被嵌された状態下において該容器本体の底面に対して傾斜している請求項１〜５の何れかに記載の装飾プレート付き容器。
【発明の詳細な説明】
【技術分野】
【０００１】
本発明は、容器本体及びその口部が被嵌されるキャップを備え、該キャップの天面に装飾プレートが嵌着されてなる装飾プレート付き容器に関する。
【背景技術】
【０００２】
従来より、容器本体及びその口部が被嵌されるキャップを備え、該キャップの天面に設けられたプレート嵌着部に装飾プレート（デザイン性向上、表示等の装飾のためのプレート状の部材）が嵌着されてなる装飾プレート付き容器が製造、販売されている（例えば、下記特許文献１参照）。
【０００３】
このような装飾プレート付き容器としては、例えば、図７に模式的に示すような、化粧液の収容された容器本体（図示せず）及びその口部が被嵌されるスクリューキャップ３からなる容器がある。
詳述すると、図７に示す装飾プレート付き容器は、キャップ３の天面に装飾プレート５を嵌着し得るプレート嵌着部４が設けられ、プレート嵌着部４が装飾プレート５の配設されるプレート配設面４１及び該プレート配設面４１の周縁部に沿って立設した環状立設部４２を備え、プレート嵌着部４に装飾プレート５として装飾用凸レンズが嵌着され、接着剤（図示せず）で接合されていると共に、キャップ３の下部内方には、内周面に雌ねじ部３４Ａを備えた内環垂下部３４が設けられているものである。図７に示す装飾プレート付き容器によれば、雌ねじ部３４Ａと前記容器本体の口部の雄ねじ部（図示せず）とを螺合させることにより、該容器本体の口部にキャップ３を装着できるようになっている。
【０００４】
【特許文献１】特開２０００−２５５６１８号公報
【発明の開示】
【発明が解決しようとする課題】
【０００５】
しかし、このような図７に示す装飾プレート付き容器においては、容器本体の口部へのキャップ３の装着時にプレート嵌着部４から装飾プレート５が脱落することがままあり、好ましくない。
【０００６】
従って、本発明の目的は、容器本体の口部へのキャップの装着時に、プレート嵌着部から装飾プレートが脱落し難い装飾プレート付き容器を提供することにある。
【課題を解決するための手段】
【０００７】
本発明は、容器本体及びその口部が被嵌されるキャップを備え、該キャップの天面に設けられたプレート嵌着部に装飾プレートが嵌着されてなる装飾プレート付き容器において、前記プレート嵌着部は、前記装飾プレートが配設されるプレート配設面を備え、前記プレート嵌着部の前記プレート配設面及び／又は前記装飾プレートの裏面は、該プレート嵌着部に該装飾プレートが嵌着された状態下において、該プレート配設面と該装飾プレートの裏面との間隔がそれらの周縁部から中心部に向けて大きくなるように凹んでおり、前記プレート嵌着部と前記装飾プレートとは、硬化状態下において柔軟性を有する接着剤により接合されている装飾プレート付き容器を提供することにより、上記目的を達成したものである。
【発明の効果】
【０００８】
本発明の吐出容器の容器本体によれば、容器本体の口部へのキャップの装着時に、プレート嵌着部から装飾プレートが脱落し難い。
【発明を実施するための最良の形態】
【０００９】
以下、本発明の装飾プレート付き容器を、その好ましい一実施形態である第１実施形態について、図面を参照しながら説明する。
本実施形態の装飾プレート付き容器１は、図１及び図２に示すように、容器本体２及びその口部２１が被嵌されるキャップ３を備え、該キャップ３の天面３１に設けられたプレート嵌着部４に円形の装飾プレート５が嵌着されてなる装飾プレート付き容器である。
【００１０】
本実施形態の装飾プレート付き容器１においては、図１〜図３に示すように、プレート嵌着部４は、装飾プレート５が配設されるプレート配設面４１及び該プレート配設面４１の周縁部に沿って立設した環状立設部４２を備え、プレート嵌着部４のプレート配設面４１は、該プレート嵌着部４に該装飾プレート５が嵌着された状態下において、該プレート配設面４１と該装飾プレート５の裏面５３との間隔がそれらの周縁部から中心部に向けて大きくなるように凹んでおり、プレート嵌着部４と装飾プレート５とは、硬化状態下において柔軟性を有する接着剤により接合されている。
【００１１】
本実施形態の装飾プレート付き容器１について更に詳述する。
本実施形態の装飾プレート付き容器１は、図１及び図２に示すように、容器本体２及びその口部２１が被嵌されるキャップ３からなる。
【００１２】
容器本体２は、図２に示すように、液体が収容される円筒状の収容部２３の上部に液体の排出口である口部２１を備え、収容部２３の下部が底面２２となっている。容器本体２は、ポリエチレンテレフタレート（ＰＥＴ）、ポリエチレンテレフタレートとシクロヘキサンジメタノールとの共重合体（例えばイーストマンケミカル社のＰＥＴＧ６７６３、あるいは同社のＰＣＴＧなど）、ポリシクロヘキシレンジメチレンテレフタレートとイソフタル酸との共重合体（ＰＣＴＡ）、アクリロニトリル・ブタジエン・スチレン共重合体（ＡＢＳ）等の合成樹脂からなり、好ましくは透明樹脂からなる。容器本体２の口部２１は、例えばインジェクションブロー成形により形成され、容器本体２の収容部２３及び底面２２は、例えば延伸ブロー成形により形成される。尚、容器本体２は、ガラス等から形成することもできる。
容器本体２に収容される液体としては、例えば、化粧液、乳液、クリーム、シャンプー、トリートメントなどが挙げられる。
【００１３】
口部２１の周縁部には、キャップ３の内環垂下部３４の内周面に設けられた雌ねじ部３４Ａ（後述）と螺合する雄ねじ部２１Ａが設けられている。口部２１の頂部には、別体の注液中栓２１Ｂが嵌着されている。
【００１４】
キャップ３は、図１〜図３に示すように、いわゆるオーバーキャップで、例えば、合成樹脂の射出成形からなる。キャップ３は、図３に示すように、略円形の天板３２と、天板３２の周縁部から垂下する円筒状の外環垂下部３３と、外環垂下部３３の内側に同心円状に天板３２から垂下する円筒状の内環垂下部３４とを備えている。
【００１５】
天板３２の天面３１には、図２及び図３に示すように、円形の装飾プレート５を嵌着し得るプレート嵌着部４が設けられている。
プレート嵌着部４は、装飾プレート５が配設されるプレート配設面４１及び該プレート配設面４１の周縁部に沿って立設した環状立設部４２を備えている。
【００１６】
プレート配設面４１は、装飾プレート５が配設される面で、プレート配設面４１の大きさ及び形状は、装飾プレート５の大きさ及び形状と一致させてある。
プレート配設面４１は、図３に示すように、容器本体２の口部２１がキャップ３により被嵌された状態下において該容器本体２の底面２２に対して傾斜している。容器本体２の底面２２に対するプレート配設面４１の傾斜角度は、デザイン性等を考慮して適宜設定されるが、例えば５度〜４５度である。
また、容器本体２の口部２１がキャップ３により被嵌された状態下において、プレート配設面４１は、図３に示すように、容器本体２の底面２２の直交線Ｚ方向から視た正投影図法による投影形状が楕円形であるが、直交線Ｗ方向から視た正投影図法による投影形状が円形となっている。
【００１７】
環状立設部４２は、図３に示すように、プレート配設面４１からプレート配設面４１の周縁部に沿って立設しているもので、装飾プレート５とプレート嵌着部４との嵌着状態を安定させるために設けられている。環状立設部４２は、容器本体２の底面２２に対して直交する方向Ｚに沿って立設している。環状立設部４２のキャップの天板３２からの高さは、装飾プレート５の周縁端部５１の厚さ等を考慮して適宜設定されるが、例えば３．０ｍｍ〜１０．０ｍｍである。
【００１８】
外環垂下部３３は、図１〜図３に示すように、円筒状で、その外周面が容器本体２の収容部２３の外周面と略面一になっており、容器全体のデザイン性の向上、キャップ３の捻り易さ向上等のために設けられているものである。
【００１９】
内環垂下部３４は、図３に示すように、円筒状で、その内周面に雌ねじ部３４Ａを備えている。雌ねじ部３４Ａと容器本体２の口部２１の雄ねじ部２１Ａとを螺合させることにより、容器本体２の口部２１にキャップ３を装着できるようになっている。つまり、キャップ３は、いわゆるスクリューキャップとなっている。
【００２０】
装飾プレート５は、図２及び図３に示すように、デザイン性向上、表示等の装飾のためのプレート状の部材で、本実施形態においては、装飾用凸レンズである。装飾用凸レンズは、デザイン性に奥行感を与えると共に、例えばその裏面に金属箔、文字等を印刷することにより、キャップ３に、デザイン性向上、表示等の装飾を施すものである。装飾用凸レンズは、表面５２が周縁端部５１から中心部に向けて滑らかな湾曲形状で突出しており、裏面５３が平面状である。
【００２１】
装飾用凸レンズの大きさ及び厚みは、デザイン性等を考慮して適宜設定されるが、例えば、その大きさは、直径１０ｍｍ〜５０ｍｍ、その厚みは、２ｍｍ〜１５ｍｍである。
装飾プレート５は、合成樹脂、ガラス等から形成することができる。装飾用凸レンズとしては、透明な素材から形成することが好ましい。
【００２２】
好ましい合成樹脂としては、例えば、ポリエチレンテレフタレートとシクロヘキサンジメタノールとの共重合体（例えばイーストマンケミカル社のＰＥＴＧ６７６３、あるいは同社のＰＣＴＧなど）、アクリロニトリル・ブタジエン・スチレン共重合体（ＡＢＳ）、アクリロニトリルスチレン共重合体（ＡＳ）、アクリロニトリルスチレン共重合体（ＡＳ）、ポリカーボネイト（ＰＣ）、ポリスチレン（ＰＳ）が挙げられる。
本実施形態における装飾プレート５においては、裏面５３に金属箔（図示せず）がホットスタンプ法により印刷されている。
【００２３】
装飾プレート５は、図３に示すように、その周縁端部５１がその全周に亘って表面５２から裏面５３に向けて窄まるように傾斜している。装飾プレート５の周縁端部５１の窄まる角度は、プレート嵌着部４におけるプレート配設面４１と環状立設部４２との角度等を考慮して適宜選択される。
【００２４】
本実施形態の装飾プレート付き容器１においては、図３（ｂ）に示すように、装飾プレート５の周縁端部５１の一部が環状立設部４２の内周面４２Ａの一部に当接した状態でプレート嵌着部４に嵌着されるようになっている。
【００２５】
プレート嵌着部４のプレート配設面４１は、図３に示すように、プレート嵌着部４に装飾プレート５が嵌着された状態下において、プレート配設面４１と装飾プレート５の裏面５３との間隔がそれらの周縁部から中心部に向けて大きくなるように凹んでいる。具体的には、プレート配設面４１が湾曲形状に凹んでおり、装飾プレート５の裏面５３が平面状となっている。
【００２６】
「プレート配設面４１と装飾プレート５の裏面５３との間隔がそれらの周縁部から中心部に向けて大きくなるように凹んでいる」とは、図３に示すような周縁部から中心部に向けて徐々に両者の間隔が大きくなる場合に限られない。例えば、両者の間隔が全体として周縁部から中心部に向けて大きくなっていれば、部分的に両者の間隔が狭くなっている箇所があってもよい。該中心部は、プレート配設面４１又は装飾プレート５の裏面５３における幾何学的な中心に制限されず、脱落防止効果が奏される範囲で、幾何学的な中心から若干ずれていてもよい。
プレート配設面４１の凹みの最深部の深さは、プレート嵌着部４からの装飾プレート５の脱落防止効果等を考慮して適宜設定されるが、例えば０．３ｍｍ〜３．０ｍｍである。
【００２７】
そして、本実施形態の装飾プレート付き容器１においては、プレート嵌着部４と装飾プレート５とは、硬化状態下において柔軟性を有する接着剤（図示せず）により接合されている。「硬化状態下において柔軟性を有する接着剤」とは、硬化状態の厚さ５ｍｍの接着剤に対して、２０℃で断面積０．２５ｍｍ2の金属棒を押圧力１０Ｎで５秒間厚さ方向に押圧したとき、金属棒が接着剤に１ｍｍ以上食い込む接着剤をいう。
このような接着剤としては、柔軟性のあるホットメルト系の接着剤が好ましい。
【００２８】
上述の構成を有する本実施形態の装飾プレート付き容器１によれば、プレート嵌着部４に装飾プレート５が嵌着された状態下において、プレート配設面４１と装飾プレート５の裏面５３との間隔がそれらの周縁部から中心部に向けて大きくなるように凹んでおり、プレート嵌着部４と装飾プレート５とが硬化状態下において柔軟性を有する接着剤により接合されているため、容器本体２の口部２１へのキャップ３の装着時にプレート嵌着部４の中央部が上方に凸に変形しても、プレート嵌着部４の中央部と装飾プレート５の裏面５３とが直接当接しておらず、しかも、プレート嵌着部４の中央部の変形は柔軟性を有する接着剤に吸収されて、装飾プレート５の裏面５３をほとんど押圧しない。
その結果、プレート嵌着部４にはそれに接合された装飾プレート５を脱落させるような力が発生し難く、そのため、容器本体２の口部２１へのキャップ３の装着時に、プレート嵌着部４から装飾プレート５が脱落し難い。
【００２９】
また、容器本体２の口部２１がキャップ３により被嵌された状態下において、プレート配設面４１が容器本体２の底面２２に対して傾斜しており、装飾プレート５が容器本体２の底面２２に対して傾斜して設けられているため、容器全体のデザイン性を向上させることができる。
また、プレート配設面４１の直交線Ｗ方向から視た正投影図法による投影形状が円形であるため、円形の装飾プレート５を採用することができる。そのため、装飾プレート５を、その方向性を考慮することなく、キャップ３のプレート嵌着部４のプレート配設面４１に嵌着させることができ、プレート嵌着部４への装飾プレート５の嵌着が容易である。
【００３０】
また、円形の装飾用凸レンズは、それ自体の製造コストが低く、製造コスト的に好ましい。更に、装飾プレート５の周縁端部５１がその全周に亘って表面５２から裏面５３に向けて窄まるように傾斜しており、周縁端部５１の一部が環状立設部４２の内周面４２Ａの一部に当接した状態でプレート嵌着部４に嵌着されるようになっているため、装飾プレート５の周縁端部５１と環状立設部４２の内周面４２Ａとが、直接又は若干の接着剤を介して線接触又は面接触するので、両者間に隙間がない部分ができ、両者が安定して嵌着される。
【００３１】
次に、本発明の装飾プレート付き容器の別の実施形態について説明する。別の実施形態については、主として第１実施形態とは異なる点を説明し、同じ構成については、同じ符号を付し、説明を省略する。特に説明しない点については、第１実施形態についての説明が適宜適用される。以下に示す別の実施形態の装飾プレート付き容器においても、第１実施形態の装飾プレート付き容器と同様の効果が奏される。
【００３２】
第２実施形態の装飾プレート付き容器１は、図４及び図５に示すように、第１実施形態とはプレート嵌着部４の構成が異なる。
具体的には、プレート嵌着部４には、その肉厚を減少させる肉逃げ凹部４３が設けられている。そのため、プレート嵌着部４のキャップの天板３２における肉厚はほぼ均一になっている。
【００３３】
また、肉逃げ凹部４３には、それから立設した複数個の配設面形成リブ４４が設けられている。配設面形成リブ４４は、プレート配設面４１を形成するもので、キャップの天板３２に同心円状に複数個配設されている。プレート配設面４１は、離間して配設された複数個の配設面形成リブ４４の上面４４Ａを主体として形成されている。
尚、図５においては、配設面形成リブ４４の個数を減らす等、模式的に図示してある。
【００３４】
第２実施形態の装飾プレート付き容器１によれば、第１実施形態の装飾プレート付き容器１と同様の効果が奏される他、プレート嵌着部４には、その肉厚を減少させる肉逃げ凹部４３が設けられており、プレート嵌着部４における肉厚がほぼ均一になっているため、成形時のひけが生じ難くなっている。
【００３５】
第３実施形態の装飾プレート付き容器１は、図６に示すように、第１実施形態とは異なり、プレート嵌着部４のプレート配設面４１が平面状である代わりに、装飾プレート５の裏面５３が湾曲形状に凹んでいる。
第３実施形態の装飾プレート付き容器１においても、第１実施形態の装飾プレート付き容器１と同様の効果が奏される。
【００３６】
本発明の装飾プレート付き容器は、前述した実施形態に制限されることなく、本発明の趣旨を逸脱しない限り、例えば以下に示すように適宜変更が可能である。
容器本体の収容部及びキャップの外形は、平面視で円形のものに制限されず、楕円形や、四角形、六角形、八角形等の多角形とすることができる。
プレート配設面が、容器本体の口部がキャップにより被嵌された状態下において容器本体の底面に対して傾斜していなくても（容器本体の底面と平行でも）よい。
【００３７】
装飾プレート及びプレート嵌着部の形状は、円形に制限されず、楕円形や、四角形、六角形、八角形等の多角形でもよい。
プレート嵌着部に装飾プレートが嵌着された状態下において、プレート嵌着部のプレート配設面及び装飾プレートの裏面の両方が、プレート配設面と装飾プレートの裏面との間隔がそれらの周縁部から中心部に向けて大きくなるように凹んでいてもよい。
配設面形成リブは、円状のものに制限されず、例えば、格子状、放射状、多数の短片状、多数の棒状のものでもよい。
環状立設部は、全体として環状であれば、部分的に不連続でもよい。
【００３８】
装飾プレートは、周囲の形状が円形であれば装飾用凸レンズに制限されず、例えば、凹レンズ、平面プレート、模様付きプレートが挙げられる。
装飾用凸レンズの裏面に設けられる金属箔は、ホットスタンプ法（熱転写）によるものに制限されず、例えば、インモールド転写によるもの、ラベル貼りでもよい。また、金属箔に制限されず、例えば、ホログラム箔や印刷箔の転写、印刷（シルク印刷やタンポ印刷など）、塗装、蒸着でもよい。
【図面の簡単な説明】
【００３９】
【図１】図１は、本発明の装飾プレート付き容器の第１実施形態を示す斜視図である。
【図２】図２は、図１に示す装飾プレート付き容器について、容器本体とキャップと装飾プレートとを分離した状態を示す斜視図である。
【図３】図３（ａ）は、装飾プレートを示す模式的縦断面図で、図３（ｂ）は、装飾プレートが嵌着されたキャップを示す模式的縦断面図である。
【図４】図４は、第２実施形態の装飾プレート付き容器におけるキャップについて、装飾プレートが分離した状態を示す斜視図である。
【図５】図５は、図４に示すキャップについて、装飾プレートが嵌着された状態を示す模式的縦断面図〔図３（ｂ）対応図〕である。
【図６】図６は、第３実施形態の装飾プレート付き容器における装飾プレートが嵌着されたキャップを示す模式的縦断面図〔図３（ｂ）対応図〕である。
【図７】図７（ａ）は、従来の装飾プレートを示す模式的縦断面図で、図７（ｂ）は、従来の装飾プレートが嵌着されたキャップを示す模式的縦断面図である。
【符号の説明】
【００４０】
１  装飾プレート付き容器
２  容器本体
２１  口部
２１Ａ  雄ねじ部
２１Ｂ  注液中栓
２２  底面
２３  収容部
３  キャップ
３１  天面
３２  天板
３３  外環垂下部
３４  内環垂下部
３４Ａ  雌ねじ部
４  プレート嵌着部
４１  プレート配設面
４２  環状立設部
４２Ａ  内周面
４３  肉逃げ凹部
４４  配設面形成リブ
４４Ａ  上面
５  装飾プレート
５１  周縁端部
５２  表面
５３  裏面
【図１】
2006232313.tif 000003
【図２】
2006232313.tif 000004
【図３】
2006232313.tif 000005
【図４】
2006232313.tif 000006
【図５】
2006232313.tif 000007
【図６】
2006232313.tif 000008
【図７】
2006232313.tif 000009